(57)【特許請求の範囲】
【請求項１】
ネットワークコントローラであって、
第1のサービスの第1の種類のデータストリームを受信した場合に、結合設定情報を第1の入口ノードへ送信するように構成された第1の送信機であって、前記結合設定情報が、前記第1のサービスの受信データパケットを結合するように前記第1の入口ノードに指示するために使用され、かつ、前記第1の種類のデータストリームが前記第1のサービスの第1のデータストリームに続くデータストリームである、第1の送信機と、
前記結合設定情報を使用して、ソフトウェア定義ネットワーク内のルータまたはスイッチ、またはルータおよびスイッチに対してフローエントリ設定を行うように、ソフトウェア定義ネットワーク（SDN）コントローラに指示するように構成された第2の送信機と、
前記第1のサービスのデータパケットの宛先ノードが前記ソフトウェア定義ネットワークに属する場合に、データパケット分割構成情報を前記宛先ノードに送信するか、または、前記第1のサービスのデータパケットの宛先ノードが前記ソフトウェア定義ネットワークに属さない場合に、データパケット分割構成情報を前記ソフトウェア定義ネットワーク内の前記第1のサービスの配信ノードに送信するように構成された第3の送信機であって、結合データパケットを結合される前のデータパケットに分割するように、前記宛先ノードまたは前記配信ノードに指示するために前記データパケット分割構成情報が使用される、第3の送信機と
を含み、前記結合設定情報は結合ヘッダを含み、前記結合ヘッダは、結合されたデータパケットの量と、結合された各データパケットの長さを別々に示し、前記結合ヘッダは、固定長のフィールドを使用し、
前記第1の送信機は、
前記第1のサービスの入口ノードが前記第1の入口ノードから第2の入口ノードに切り替えられた場合に、前記第2の入口ノードに対して結合設定を実行し、前記結合設定情報を前記第2の入口ノードに送信するようにさらに構成され、前記第2の入口ノードは前記SDNネットワーク内の入口ノードである、ネットワークコントローラ。
【請求項２】
前記第1の送信機は、前記結合設定情報を前記第1の入口ノードへ送信するように具体的に構成され、前記結合ヘッダは、前記第1のサービスの前記データパケットのヘッダに応じて生成される、請求項1に記載のネットワークコントローラ。
【請求項３】
前記第1の送信機が、前記結合設定情報を前記第1の入口ノードに送信するように具体的に構成され、前記結合設定情報が前記結合ヘッダを含むことは、
前記第1の送信機が、前記結合設定情報を前記第1の入口ノードに送信するように具体的に構成され、前記第1のサービスの受信データストリームが同一の宛先ノードを有する場合、前記結合ヘッダは、前記第1のサービスの前記第1のデータストリームから入力されるデータパケットのヘッダであることを含む、請求項2に記載のネットワークコントローラ。
【請求項４】
前記第1の送信機が、前記結合設定情報を前記第1の入口ノードに送信するように具体的に構成され、前記結合設定情報が前記結合ヘッダを含むことは、
前記第1の送信機が、前記結合設定情報を前記第1の入口ノードに送信するように具体的に構成され、前記結合設定情報は前記結合ヘッダを含み、前記第1のサービスの受信データストリームが異なる宛先ノードを有するが同一の配信ノードを有する場合、前記結合ヘッダは仮想ヘッダであり、前記仮想ヘッダは前記配信ノードのアドレスを含むことを含む、請求項2に記載のネットワークコントローラ。
【請求項５】
前記第1のサービスの前記データパケットがヘッダ圧縮データパケットである場合、第1の種類のデータストリーム内にあり、かつ前記第1のサービスのものである前記データパケットの前記宛先ノードが前記ソフトウェア定義ネットワークに属する場合に、展開構成情報を前記宛先ノードに送信するか、または、前記第1のサービスの前記データパケットの前記宛先ノードが前記ソフトウェア定義ネットワークに属さない場合に、展開構成情報を前記配信ノードに送信するように構成された第4の送信機であって、前記分割データパケットを展開するように前記宛先ノードまたは前記配信ノードに指示するために前記展開構成情報が使用される、第4の送信機
をさらに含む、請求項1から4のいずれか一項に記載のネットワークコントローラ。
【請求項６】
前記第1のサービスの前記第1の種類のデータストリームを受信した場合に、ヘッダ圧縮構成情報を前記第1の入口ノードに送信するように構成された第5の送信機であって、前記第1のサービスの前記受信データパケットに対するヘッダ圧縮を実行するように前記第1の入口ノードに指示するために前記ヘッダ圧縮構成情報が使用される、第5の送信機
をさらに含む、請求項1または5のいずれかに記載のネットワークコントローラ。
【請求項７】
前記第1のサービスの前記データパケットの入口ノードが前記ソフトウェア定義ネットワークのアクセスネットワークに属し、かつ、前記第1のサービスの前記データパケットの前記宛先ノードが非ソフトウェア定義ネットワークに属する場合、前記第1のサービスの前記配信ノードは、前記ソフトウェア定義ネットワーク内にあり、かつ前記ソフトウェア定義ネットワークと前記非ソフトウェア定義ネットワークとを接続するアクセスネットワークゲートウェイである、
請求項1から6のいずれか一項に記載のネットワークコントローラ。
【請求項８】
前記第1のサービスの前記データパケットの入口ノードが非ソフトウェア定義ネットワークに属し、かつ、前記第1のサービスの前記データパケットの前記宛先ノードが前記ソフトウェア定義ネットワークのアクセスネットワークに属する場合、前記第1のサービスの入口ノードは、前記ソフトウェア定義ネットワーク内にあり、かつ前記非ソフトウェア定義ネットワークと前記ソフトウェア定義ネットワークとを接続するアクセスネットワークゲートウェイである、
請求項1から6のいずれか一項に記載のネットワークコントローラ。
【請求項９】
前記ソフトウェア定義ネットワークがコアネットワークであり、かつ前記ソフトウェア定義ネットワークの両側のアクセスネットワークがいずれも非ソフトウェア定義ネットワークである場合、前記第1の入口ノードは第1のエッジゲートウェイであり、前記第1のエッジゲートウェイは、前記ソフトウェア定義ネットワーク内にあり、かつ前記ソフトウェア定義ネットワークと第1の非ソフトウェア定義ネットワークとを接続するエッジゲートウェイであり、前記ソフトウェア定義ネットワーク内の前記第1のサービスの前記配信ノードは第2のエッジゲートウェイであり、前記第2のエッジゲートウェイは、前記ソフトウェア定義ネットワーク内にあり、かつ前記ソフトウェア定義ネットワークと第2の非ソフトウェア定義ネットワークとを接続するエッジゲートウェイであり、前記第1の非ソフトウェア定義ネットワークは、前記第1のサービスの前記データストリームの送信元ノードが位置するネットワークであり、前記第2の非ソフトウェア定義ネットワークは、前記第1のサービスの前記データストリームの前記宛先ノードが位置するネットワークである、請求項1から6のいずれか一項に記載のネットワークコントローラ。
【請求項１０】
前記第1のサービスの入口ノードが前記第1の入口ノードから第2の入口ノードに切り替えられた場合に、前記第1の入口ノードを制御して前記結合設定情報を前記第2の入口ノードに送信するように構成されたコントローラ
をさらに含む、請求項9に記載のネットワークコントローラ。
【請求項１１】
ソフトウェア定義ネットワークであって、
第1のサービスの第1の種類のデータストリームを受信した場合に、予め設定された設定情報に応じて前記第1のサービスの受信データパケットを結合するように構成された第1の入口ノードであって、前記第1の入口ノードが前記ソフトウェア定義ネットワーク内の前記第1のサービスの入口ノードであり、前記第1の種類のデータストリームが前記第1のサービスの第1のデータストリームに続くデータストリームである、第1の入口ノードと、
結合データパケットを伝送するように構成された伝送モジュールと、
前記結合データパケットを結合される前のデータパケットに分割するように構成された分割モジュールであって、前記第1のサービスのデータパケットの宛先ノードが前記ソフトウェア定義ネットワークに属する場合、前記分割モジュールが前記宛先ノードであり、または、前記第1のサービスのデータパケットの宛先ノードが前記ソフトウェア定義ネットワークに属さない場合、前記分割モジュールが前記ソフトウェア定義ネットワーク内の前記第1のサービスの配信ノードである、分割モジュールと、
前記第1のサービスの前記入口ノードが前記第1の入口ノードから前記ソフトウェア定義ネットワーク内の第2の入口ノードに切り替えられた場合に、前記第1の入口ノードから、前記第2の入口ノードに対して結合設定が実行された結合設定情報を受信するように構成された前記第2の入口ノードと
を含み、前記結合データパケットは、結合ヘッダを含み、前記結合ヘッダは、結合されたデータパケットの量と、結合された各データパケットの長さを別々に示し、前記結合ヘッダは、固定長のフィールドを使用する、ソフトウェア定義ネットワーク。
【請求項１２】
前記第1の入口ノードは前記第1のサービスの前記受信データパケットを結合するように構成され、
前記第1の入口ノードは、前記第1のサービスの前記受信データパケットを結合するように具体的に構成され、前記結合ヘッダは、前記第1のサービスの前記データパケットのヘッダに応じて生成される、請求項11に記載のソフトウェア定義ネットワーク。
【請求項１３】
ソフトウェア定義ネットワーク構築方法であって、
第1のサービスの第1の種類のデータストリームを受信した場合に、ネットワークコントローラによって結合設定情報を第1の入口ノードへ送信するステップであって、前記結合設定情報が、前記第1のサービスの受信データパケットを結合するように前記第1の入口ノードに指示するために使用され、かつ、前記第1の種類のデータストリームが前記第1のサービスの第1のデータストリームに続くデータストリームである、送信するステップと、
前記結合設定情報を使用して、前記ソフトウェア定義ネットワーク内のルータまたはスイッチ、またはルータおよびスイッチに対してフローエントリ設定を行うように、前記ネットワークコントローラによってソフトウェア定義ネットワークSDNコントローラに指示するステップと、
前記第1のサービスのデータパケットの宛先ノードが前記ソフトウェア定義ネットワークに属する場合に、前記ネットワークコントローラによってデータパケット分割構成情報を前記宛先ノードに送信するステップ、または、前記第1のサービスのデータパケットの宛先ノードが前記ソフトウェア定義ネットワークに属さない場合に、前記ネットワークコントローラによってデータパケット分割構成情報を前記ソフトウェア定義ネットワーク内の前記第1のサービスの配信ノードに送信するステップであって、前記データパケット分割構成情報が、結合データパケットを結合される前のデータパケットに分割するように、前記宛先ノードまたは前記配信ノードに指示するために使用される、送信するステップと
を含み、前記結合設定情報は、結合ヘッダを含み、前記結合ヘッダは、結合されたデータパケットの量と、結合された各データパケットの長さを別々に示し、前記結合ヘッダは、固定長のフィールドを使用し、
前記第1のサービスの入口ノードが前記第1の入口ノードから第2の入口ノードに切り替えられた場合に、前記第2の入口ノードに対して結合設定を実行し、前記結合設定情報を前記第2の入口ノードに送信するステップをさらに含み、前記第2の入口ノードは前記SDNネットワーク内の入口ノードである、方法。
【請求項１４】
ソフトウェア定義ネットワークベースのデータ伝送方法であって、
第1のサービスの第1の種類のデータストリームを受信した場合に、前記ソフトウェア定義ネットワーク内の第1の入口ノードによって、予め設定された設定情報に応じて前記第1のサービスの受信データパケットを連結するステップであって、前記第1の入口ノードが前記ソフトウェア定義ネットワーク内の前記第1のサービスの入口ノードであり、前記第1の種類のデータストリームが、前記第1のサービスの第1のデータストリームに続くデータストリームである、連結するステップと、
前記ソフトウェア定義ネットワークによって結合データパケットを伝送するステップと、
前記第1のサービスのデータパケットの宛先ノードが前記ソフトウェア定義ネットワークに属する場合に、前記宛先ノードによって前記結合データパケットを結合される前のデータパケットに分割するステップ、または、前記第1のサービスのデータパケットの宛先ノードが前記ソフトウェア定義ネットワークに属さない場合に、前記ソフトウェア定義ネットワーク内の前記第1のサービスの配信ノードによって、前記結合データパケットを結合される前のデータパケットに分割するステップと、
前記第1のサービスの前記入口ノードが前記第1の入口ノードから前記ソフトウェア定義ネットワーク内の第2の入口ノードに切り替えられた場合に、前記第2の入口ノードによって、前記第1の入口ノードから、前記第2の入口ノードに対して結合設定が実行された結合設定情報を受信するステップと
を含み、前記結合データパケットは、結合ヘッダを含み、前記結合ヘッダは、結合されたデータパケットの量と、結合された各データパケットの長さを別々に示し、前記結合ヘッダは、固定長のフィールドを使用する、方法。
【発明の詳細な説明】
【技術分野】
【０００１】
本願は、通信分野に関し、特に、SDNネットワークベースのデータ伝送方法、SDN構築方法、SDNネットワーク、およびネットワークコントローラに関する。
【背景技術】
【０００２】
大量のマシン間で情報の知的転送が達成されるので、マシン間（machine to machine、M2M）通信が著しく発展するマシン型通信（Machine Type Communication、MTC）指向の新規のサービスは、主流の将来のサービスである。MTCサービスは、主に小さなデータパケットによって特徴付けられる。しかし、大量の小さなデータパケットがネットワークに伝送されるので、ネットワークの転送効率は低下する。
【発明の概要】
【０００３】
本願は、SDNネットワークベースのデータ伝送方法、SDN構築方法、SDNネットワーク、およびネットワークコントローラを提供して、大量の小さなデータパケットがネットワークに伝送されるためにネットワークの転送効率が低下するという問題を解決する。
【課題を解決するための手段】
【０００４】
前述の目的を達成するために、本願は、以下の技術的解決策を提供する。
【０００５】
本願の第1の態様はネットワークコントローラを提供し、このネットワークコントローラは、
第1のサービスの第1の種類のデータストリームを受信した場合に、結合設定情報を第1の入口ノードへ送信するように構成された第1の送信機であって、結合設定情報が、第1のサービスの受信データパケットを結合するように第1の入口ノードに指示するために使用され、かつ、第1の種類のデータストリームが第1のサービスの第1のデータストリームに続くデータストリームである、第1の送信機と、
設定情報を使用して、ソフトウェア定義ネットワーク内のルータまたはスイッチ、またはルータおよびスイッチに対してフローエントリ設定を行うように、ソフトウェア定義ネットワークSDNコントローラに指示するように構成された第2の送信機と、
第1のサービスのデータパケットの宛先ノードがソフトウェア定義ネットワークに属する場合に、データパケット分割構成情報を宛先ノードに送信するか、または、第1のサービスのデータパケットの宛先ノードがソフトウェア定義ネットワークに属さない場合に、データパケット分割構成情報をソフトウェア定義ネットワーク内の第1のサービスの配信ノードに送信するように構成された第3の送信機であって、結合データパケットを結合される前のデータパケットに分割するように、宛先ノードまたは配信ノードに指示するためにデータパケット分割構成情報が使用される、第3の送信機と
を含む。
【０００６】
本願の第1の態様の第1の実施態様では、第1の送信機は、結合設定情報を第1の入口ノードに送信するように構成され、
第1の送信機は、結合設定情報を第1の入口ノードへ送信するように具体的に構成され、結合設定情報は結合ヘッダを含み、結合ヘッダは、第1のサービスのデータパケットのヘッダに応じて生成される。
【０００７】
本願の第1の態様の第2の実施態様では、第1の送信機は、結合設定情報を第1の入口ノードに送信するように具体的に構成され、結合設定情報は結合ヘッダを含み、
第1の送信機は、結合設定情報を第1の入口ノードに送信するように具体的に構成され、結合設定情報は結合ヘッダを含み、第1のサービスの受信データストリームが同一の宛先ノードを有する場合、結合ヘッダは、第1のサービスの第1のデータストリームから入力されるデータパケットのヘッダである。
【０００８】
本願の第1の態様の第3の実施態様では、第1の送信機は、結合設定情報を第1の入口ノードに送信するように具体的に構成され、結合設定情報は結合ヘッダを含み、
第1の送信機は、結合設定情報を第1の入口ノードに送信するように具体的に構成され、結合設定情報は結合ヘッダを含み、第1のサービスの受信データストリームが異なる宛先ノードを有するが同一の配信ノードを有する場合、結合ヘッダは仮想ヘッダであり、仮想ヘッダは配信ノードのアドレスを含む。
【０００９】
本願の第1の態様の第4の実施態様では、ネットワークコントローラは、
第1のサービスのデータパケットがヘッダ圧縮データパケットである場合、第1の種類のデータストリーム内にあり、かつ第1のサービスのものであるデータパケットの宛先ノードがソフトウェア定義ネットワークに属する場合に、展開構成情報を宛先ノードに送信するか、または、第1のサービスのデータパケットの宛先ノードがソフトウェア定義ネットワークに属さない場合に、展開構成情報を配信ノードに送信するように構成された第4の送信機をさらに含み、展開構成情報は、展開データパケットを展開するように宛先ノードまたは配信ノードに指示するために使用される。
【００１０】
本願の第1の態様の第5の実施態様では、ネットワークコントローラは、
第1のサービスの第1の種類のデータストリームを受信した場合に、ヘッダ圧縮構成情報を第1の入口ノードに送信するように構成された第5の送信機をさらに含み、ヘッダ圧縮構成情報は、第1のサービスの受信データパケットに対するヘッダ圧縮を実行するように第1の入口ノードに指示するために使用される。
【００１１】
本願の第1の態様の第6の実施態様では、
第1のサービスのデータパケットの入口ノードがソフトウェア定義ネットワークのアクセスネットワークに属し、かつ、第1のサービスのデータパケットの宛先ノードが非ソフトウェア定義ネットワークに属する場合、第1のサービスの配信ノードは、ソフトウェア定義ネットワーク内にあり、かつソフトウェア定義ネットワークと非ソフトウェア定義ネットワークとを接続するアクセスネットワークゲートウェイである。
【００１２】
本願の第1の態様の第7の実施態様では、
第1のサービスのデータパケットの入口ノードが非ソフトウェア定義ネットワークに属し、かつ、第1のサービスのデータパケットの宛先ノードがソフトウェア定義ネットワークのアクセスネットワークに属する場合、第1のサービスの入口ノードは、ソフトウェア定義ネットワーク内にあり、かつ非ソフトウェア定義ネットワークとソフトウェア定義ネットワークとを接続するアクセスネットワークゲートウェイである。
【００１３】
本願の第1の態様の第8の実施態様では、
第1のサービスのデータパケットの入口ノードが非ソフトウェア定義ネットワークに属し、かつ、第1のサービスのデータパケットの宛先ノードがソフトウェア定義ネットワークのアクセスネットワークに属する場合、第1のサービスの入口ノードは、ソフトウェア定義ネットワーク内にあり、かつ非ソフトウェア定義ネットワークとソフトウェア定義ネットワークとを接続するアクセスネットワークゲートウェイである。
【００１４】
本願の第1の態様の第9の実施態様では、第1の送信機は、
第1のサービスの入口ノードが第1の入口ノードから第2の入口ノードに切り替えられた場合に、結合設定情報を第2の入口ノードに送信するようにさらに構成され、第2の入口ノードはSDNネットワーク内の入口ノードである。
【００１５】
本願の第1の態様の第10の実施態様では、
ソフトウェア定義ネットワークがコアネットワークであり、かつソフトウェア定義ネットワークの両側のアクセスネットワークがいずれも非ソフトウェア定義ネットワークである場合、第1の入口ノードは第1のエッジゲートウェイであり、ここで、第1のエッジゲートウェイは、ソフトウェア定義ネットワーク内にあり、かつソフトウェア定義ネットワークと第1の非ソフトウェア定義ネットワークとを接続するエッジゲートウェイであり、ソフトウェア定義ネットワーク内の第1のサービスの配信ノードは第2のエッジゲートウェイであり、第2のエッジゲートウェイは、ソフトウェア定義ネットワーク内にあり、かつソフトウェア定義ネットワークと第2の非ソフトウェア定義ネットワークとを接続するエッジゲートウェイであり、第1の非ソフトウェア定義ネットワークは、第1のサービスのデータストリームの送信元ノードが位置するネットワークであり、第2の非ソフトウェア定義ネットワークは、第1のサービスのデータストリームの宛先ノードが位置するネットワークである。
【００１６】
本願の第1の態様の第11の実施態様では、ネットワークコントローラは、
第1のサービスの入口ノードが第1の入口ノードから第2の入口ノードに切り替えられた場合に、第1の入口ノードを制御して結合設定情報を第2の入口ノードに送信するように構成されたコントローラ
をさらに含む。
【００１７】
本願の実施形態の第2の態様はソフトウェア定義ネットワークを提供し、このソフトウェア定義ネットワークは、
第1のサービスの第1の種類のデータストリームを受信した場合に、予め設定された設定情報に応じて第1のサービスの受信データパケットを結合するように構成された第1の入口ノードであって、第1の入口ノードがソフトウェア定義ネットワーク内の第1のサービスの入口ノードであり、第1の種類のデータストリームが第1のサービスの第1のデータストリームに続くデータストリームである、第1の入口ノードと、
結合データパケットを伝送するように構成された伝送モジュールと、
結合データパケットを結合される前のデータパケットに分割するように構成された分割モジュールであって、第1のサービスのデータパケットの宛先ノードがソフトウェア定義ネットワークに属する場合、分割モジュールが宛先ノードであり、または、第1のサービスのデータパケットの宛先ノードがソフトウェア定義ネットワークに属さない場合、分割モジュールがソフトウェア定義ネットワーク内の第1のサービスの配信ノードである、分割モジュールと
を含む。
【００１８】
本願の実施形態の第2の態様の第1の実施態様では、
第1の入口ノードは第1のサービスの受信データパケットを結合するように構成され、
第1の入口ノードは、第1のサービスの受信データパケットを結合するように具体的に構成され、結合データパケットは、結合ヘッダと、結合されたデータパケットの量と、結合されたデータパケットの長さとを含み、結合ヘッダは、第1のサービスのデータパケットのヘッダに応じて生成される。
【００１９】
本願の実施形態の第2の態様の第2の実施態様では、第1の入口ノードは第1のサービスの受信データパケットを結合するように構成され、結合データパケットは結合ヘッダを含み、
第1の入口ノードは、第1のサービスの受信データパケットを結合するように具体的に構成され、第1のサービスの受信データストリームが同一の宛先ノードを有する場合、結合ヘッダは第1のサービスの第1のデータストリームのヘッダである。
【００２０】
本願の実施形態の第2の態様の第3の実施態様では、第1の入口ノードは第1のサービスの受信データパケットを結合するように構成され、結合データパケットは結合ヘッダを含み、
第1の入口ノードは、第1のサービスの受信データパケットを結合するように具体的に構成され、第1のサービスの受信データストリームがソフトウェア定義ネットワーク内の異なる宛先ノードを有するが同一の配信ノードを有する場合、結合ヘッダは仮想ヘッダであり、ここで、仮想ヘッダは、ソフトウェア定義ネットワーク内の第1のサービスの配信ノードのアドレスである。
【００２１】
本願の実施形態の第2の態様の第4の実施態様では、伝送モジュールは、
結合データパケットを伝送するように構成されたソフトウェア定義ネットワーク内のルータまたはスイッチを含み、ここで、ソフトウェア定義ネットワーク内のコントローラは、結合ヘッダを使用して、ソフトウェア定義ネットワーク内のルータまたはスイッチに対してフローエントリ設定を事前に実行する。
【００２２】
本願の実施形態の第2の態様の第5の実施態様では、ソフトウェア定義ネットワークは、
展開データパケットを展開するように構成された展開モジュールをさらに含み、第1のサービスのデータパケットの宛先ノードがソフトウェア定義ネットワークに属する場合、展開モジュールは宛先ノードであり、または、第1のサービスのデータパケットの宛先ノードがソフトウェア定義ネットワークに属さない場合、展開モジュールは配信ノードである。
【００２３】
本願の実施形態の第2の態様の第6の実施態様では、第1の入口ノードは、
第1のサービスの受信データストリームが第1のサービスの第1のデータストリームである場合に、ヘッダ圧縮データパケットを展開して第1のサービスのデータストリームのヘッダを得るようにさらに構成される。
【００２４】
本願の実施形態の第2の態様の第7の実施態様では、第1の入口ノードは、
第1のサービスの第1の種類のデータストリームを受信した場合に、予め設定された設定情報に応じて、第1のサービスのデータパケットに対してヘッダ圧縮を実行するようにさらに構成される。
【００２５】
本願の実施形態の第2の態様の第8の実施態様では、ソフトウェア定義ネットワークは、
第1のサービスの入口ノードが第1の入口ノードから第2の入口ノードに切り替えられた場合に、結合設定情報に応じて、第1のサービスの受信データパケットを結合するように構成された第2の入口ノードをさらに含み、ここで、
第1の入口ノードは、
第1のサービスの入口ノードが第1の入口ノードから第2の入口ノードに切り替えられた場合に、結合設定情報を第2の入口ノードに送信するようにさらに構成される。
【００２６】
本願の実施形態の第3の態様はソフトウェア定義ネットワーク構築方法を提供し、このソフトウェア定義ネットワーク構築方法は、
第1のサービスの第1の種類のデータストリームを受信した場合に、ネットワークコントローラによって結合設定情報を第1の入口ノードへ送信するステップであって、結合設定情報が、第1のサービスの受信データパケットを結合するように第1の入口ノードに指示するために使用され、かつ、第1の種類のデータストリームが第1のサービスの第1のデータストリームに続くデータストリームである、送信するステップと、
設定情報を使用して、ソフトウェア定義ネットワーク内のルータまたはスイッチ、またはルータおよびスイッチに対してフローエントリ設定を行うように、ネットワークコントローラによってソフトウェア定義ネットワークSDNコントローラに指示するステップと、
第1のサービスのデータパケットの宛先ノードがソフトウェア定義ネットワークに属する場合に、ネットワークコントローラによってデータパケット分割構成情報を宛先ノードに送信するステップ、または、第1のサービスのデータパケットの宛先ノードがソフトウェア定義ネットワークに属さない場合に、ネットワークコントローラによってデータパケット分割構成情報をソフトウェア定義ネットワーク内の第1のサービスの配信ノードに送信するステップであって、データパケット分割構成情報が、結合データパケットを結合される前のデータパケットに分割するように、宛先ノードまたは配信ノードに指示するために使用される、送信するステップと
を含む。
【００２７】
本願の実施形態の第3の態様の第1の実施態様では、結合設定情報は結合ヘッダを含み、結合ヘッダは第1のサービスのデータパケットのヘッダに応じて生成される。
【００２８】
本願の実施形態の第3の態様の第2の実施態様では、結合ヘッダは第1サービスのデータパケットのヘッダに応じて生成され、
第1サービスの受信データストリームが同一の宛先ノードを有する場合、結合ヘッダは、第1のサービスの第1のデータストリームからの入力であるデータパケットのヘッダである。
【００２９】
本願の実施形態の第3の態様の第3の実施態様では、結合ヘッダは第1サービスのデータパケットのヘッダに応じて生成され、
第1のサービスの受信データストリームが異なる宛先ノードを有するが同一の配信ノードを有する場合、結合ヘッダは仮想ヘッダであり、仮想ヘッダは配信ノードのアドレスを含む。
【００３０】
本願の実施形態の第3の態様の第4の実施態様では、第1のサービスのデータパケットはヘッダ圧縮データパケットであり、この方法は、
第1のサービスのデータパケットの宛先ノードがソフトウェア定義ネットワークに属する場合に、ネットワークコントローラによって展開構成情報を宛先ノードに送信するステップ、または、第1のサービスのデータパケットの宛先ノードがソフトウェア定義ネットワークに属さない場合に、ネットワークコントローラによって展開構成情報を配信ノードに送信するステップをさらに含み、展開構成情報は、展開データパケットを展開するように宛先ノードまたは配信ノードに指示するために使用される。
【００３１】
本願の実施形態の第3の態様の第5の実施態様では、方法は、
第1サービスの受信データストリームが第1サービスの第1のデータストリームでない場合に、ネットワークコントローラによってヘッダ圧縮構成情報を第1の入口ノードに送信するステップをさらに含み、ヘッダ圧縮構成情報は、第1のサービスの受信データパケットに対するヘッダ圧縮を実行するように第1の入口ノードに指示するために使用される。
【００３２】
本願の実施形態の第3の態様の第6の実施態様では、第1のサービスのデータパケットの入口ノードがソフトウェア定義ネットワークのアクセスネットワークに属し、かつ、第1のサービスのデータパケットの宛先ノードが非ソフトウェア定義ネットワークに属する場合、第1のサービスの配信ノードは、ソフトウェア定義ネットワーク内にあり、かつソフトウェア定義ネットワークと非ソフトウェア定義ネットワークとを接続するアクセスネットワークゲートウェイである。
【００３３】
本願の実施形態の第3の態様の第7の実施態様では、第1のサービスのデータパケットの入口ノードが非ソフトウェア定義ネットワークに属し、かつ、第1のサービスのデータパケットの宛先ノードがソフトウェア定義ネットワークのアクセスネットワークに属する場合、第1のサービスの入口ノードは、ソフトウェア定義ネットワーク内にあり、かつ非ソフトウェア定義ネットワークとソフトウェア定義ネットワークとを接続するアクセスネットワークゲートウェイである。
【００３４】
本願の実施形態の第3の態様の第8の実施態様では、方法は、
第1のサービスの入口ノードが第1の入口ノードから第2の入口ノードに切り替えられた場合に、ネットワークコントローラによって結合設定情報を第2の入口ノードに送信するステップをさらに含み、第2の入口ノードは、SDNネットワーク内の入口ノードである。
【００３５】
本願の実施形態の第3の態様の第9の実施態様では、ソフトウェア定義ネットワークがコアネットワークであり、かつソフトウェア定義ネットワークの両側のアクセスネットワークがいずれも非ソフトウェア定義ネットワークである場合、第1の入口ノードは第1のエッジゲートウェイであり、ここで、第1のエッジゲートウェイは、ソフトウェア定義ネットワーク内にあり、かつソフトウェア定義ネットワークと第1の非ソフトウェア定義ネットワークとを接続するエッジゲートウェイであり、ソフトウェア定義ネットワーク内の第1のサービスの配信ノードは第2のエッジゲートウェイであり、第2のエッジゲートウェイは、ソフトウェア定義ネットワーク内にあり、かつソフトウェア定義ネットワークと第2の非ソフトウェア定義ネットワークとを接続するエッジゲートウェイであり、第1の非ソフトウェア定義ネットワークは、第1のサービスのデータストリームの送信元ノードが位置するネットワークであり、第2の非ソフトウェア定義ネットワークは、第1のサービスのデータストリームの宛先ノードが位置するネットワークである。
【００３６】
本願の実施形態の第3の態様の第10の実施態様では、方法は、
第1のサービスの入口ノードが第1の入口ノードから第2の入口ノードに切り替えられた場合に、ネットワークコントローラによって、結合設定情報を第2の入口ノードに送信するように第1の入口ノードを制御するステップをさらに含む。
【００３７】
本願の第4の態様はソフトウェア定義ネットワークベースのデータ伝送方法を提供し、この方法は、
第1のサービスの第1の種類のデータストリームを受信した場合に、ソフトウェア定義ネットワーク内の第1の入口ノードによって、予め設定された設定情報に応じて第1のサービスの受信データパケットを連結するステップであって、第1の入口ノードがソフトウェア定義ネットワーク内の第1のサービスの入口ノードであり、第1の種類のデータストリームが、第1のサービスの第1のデータストリームに続くデータストリームである、連結するステップと、
ソフトウェア定義ネットワークによって結合データパケットを伝送するステップと、
第1のサービスのデータパケットの宛先ノードがソフトウェア定義ネットワークに属する場合に、宛先ノードによって結合データパケットを結合される前のデータパケットに分割するステップ、または、第1のサービスのデータパケットの宛先ノードがソフトウェア定義ネットワークに属さない場合に、ソフトウェア定義ネットワーク内の第1のサービスの配信ノードによって、結合データパケットを結合される前のデータパケットに分割するステップと
を含む。
【００３８】
本願の第4の態様の第1の実施態様では、結合データパケットは、結合ヘッダと、結合されたデータパケットの量と、結合されたデータパケットの長さとを含み、結合ヘッダは、第1のサービスのデータパケットのヘッダに応じて生成される。
【００３９】
本願の第4の態様の第2の実施態様では、第1のサービスの受信データストリームが同じ宛先ノードを有する場合、結合ヘッダは、第1のサービスの第1のデータストリームのヘッダである。
【００４０】
本願の第4の態様の第3の実施態様では、第1のサービスの受信データストリームがソフトウェア定義ネットワーク内の異なる宛先ノードを有するが同一の配信ノードを有する場合、結合ヘッダは仮想ヘッダであり、仮想ヘッダは、ソフトウェア定義ネットワーク内の第1のサービスの配信ノードのアドレスである。
【００４１】
本願の第4の態様の第4の実施態様では、ソフトウェア定義ネットワークによって結合データパケットを伝送するステップは、
ソフトウェア定義ネットワーク内のルータまたはスイッチによって結合データパケットを伝送するステップを含み、ソフトウェア定義ネットワーク内のコントローラは、結合ヘッダを使用して、ソフトウェア定義ネットワーク内のルータまたはスイッチに対してフローエントリ設定を事前に実行する。
【００４２】
本願の実施形態の第4の態様の第5の実施態様では、第1のサービスのデータパケットはヘッダ圧縮データパケットであり、方法は、
第1のサービスのデータパケットの宛先ノードがソフトウェア定義ネットワークに属する場合に、宛先ノードによって展開データパケットを展開するステップ、または、第1のサービスのデータパケットの宛先ノードがソフトウェア定義ネットワークに属さない場合に、配信ノードによって展開データパケットを展開するステップをさらに含む。
【００４３】
本願の第4の態様の第6の実施態様では、方法は、
第1のサービスの受信データストリームが第1のサービスの第1のデータストリームである場合に、第1のサービスのデータストリームのヘッダを得るように、第1の入口ノードによってヘッダ圧縮データパケットを展開するステップをさらに含む。
【００４４】
本願の第4の態様の第7の実施態様では、方法は、
第1のサービスの受信データストリームが第1のサービスの第1のデータストリームでない場合に、第1の入口ノードによって、予め設定された設定情報に応じて第1のサービスのデータパケットに対してヘッダ圧縮を実行するステップをさらに含む。
【００４５】
本願の第4の態様の第8の実施態様では、方法は、
第1のサービスの入口ノードが第1の入口ノードから第2の入口ノードに切り替えられた場合に、第1のアクセスポイントによって結合設定情報を第2のアクセスポイントへ送信するステップと、
第2の入口ノードによって、結合設定情報に応じて第1のサービスの受信データパケットを連結するステップであって、第2の入口ノードがソフトウェア定義ネットワーク内の入口ノードである、連結するステップと
をさらに含む。
【００４６】
本実施形態において提供されるSDN、SDN構築方法、SDNベースのデータ伝送方法およびネットワークコントローラによれば、データパケット結合機能およびデータパケット分割機能は、SDN内のノード上で別々に構成される。したがって、第1のサービスのデータパケットが受信される場合、第1のサービスの複数の小さなデータパケットを1つの大きなデータパケットに結合することができる。複数の小さなデータパケットの伝送と比較して、結合データパケットを伝送することにより、SDNの伝送効率を向上させることができる。
【００４７】
本発明の実施形態における技術的解決策をより明確に説明するために、以下に、実施形態または従来技術を説明するために必要な添付の図面を簡単に説明する。明らかに、以下の説明における添付の図面は、本発明のいくつかの実施形態を示しているに過ぎず、当業者は、創造的な努力をせずにこれらの添付の図面からさらに他の図面を得ることができる。
【図面の簡単な説明】
【００４８】
【図１】本発明の一実施形態によるネットワークコントローラの概略構成図である。
【図２】本発明の一実施形態による別のネットワークコントローラの概略構成図である。
【図３】本発明の一実施形態による結合ヘッダの概略図である。
【図４】本発明の一実施形態による別の結合ヘッダの概略図である。
【図５】本発明の一実施形態によるさらに別のネットワークコントローラの概略構成図である。
【図６】本発明の一実施形態によるさらに別のネットワークコントローラの概略構成図である。
【図７】本発明の一実施形態によるSDN構築方法のフローチャートである。
【図８】本発明の一実施形態による別のSDN構築方法のフローチャートである。
【図９】本発明の一実施形態によるさらに別のSDN構築方法のフローチャートである。
【図１０】本願の一実施形態によるSDNの概略構成図である。
【図１１】本願の一実施形態による別のSDNの概略構成図である。
【図１２】本願の一実施形態によるSDNベースのデータ伝送方法のフローチャートである。
【図１３】本願の一実施形態による別のSDNベースのデータ伝送方法のフローチャートである。
【図１４】本願の一実施形態によるさらに別のSDNベースのデータ伝送方法のフローチャートである。
【発明を実施するための形態】
【００４９】
本願は、ソフトウェア定義ネットワーク（Software Defined Network、SDN）に適用されるネットワークコントローラおよびソフトウェア定義ネットワークの構築方法を開示する。SDNを使用してMTCを実施する間に、SDN内で伝送されるデータパケットは小さくなり、その結果、SDNネットワークの伝送効率が容易に低下する。本願の実施形態に開示されたネットワークコントローラおよびソフトウェア定義ネットワーク構築方法は、SDN内のデータパケット結合ノード、データパケット分割ノードおよびデータパケット展開ノードを構成して、圧縮データパケットの結合および伝送を実現することを意図している。すなわち、複数の小さなデータパケットは伝送のために大きなデータパケットに結合され、その後、大きなデータパケットはデータパケット配信ノードまたはデータパケット宛先ノード上で分割されかつ展開されて、SDNの伝送効率を向上させる。
【００５０】
以下では、本願の実施形態における技術的解決策を、本願の実施形態における添付の図面を参照して、明確かつ完全に説明する。明らかに、記載された実施形態は、本願の実施形態の一部に過ぎず、全てではない。創造的な努力をせずに本願の実施形態に基づいて当業者によって得られる他の全ての実施形態は、本願の保護範囲内に収まるものとする。
【００５１】
図1に示すように、本願の実施形態は、第1の送信機101、第2の送信機102、および第3の送信機103を含むネットワークコントローラを開示する。
【００５２】
第1の送信機101は、第1のサービスの第1の種類のデータストリームを受信した場合に、結合設定情報を第1の入口ノードに送信するように構成される。
【００５３】
結合設定情報は、第1の入口ノードに、第1のサービスの受信データパケットを結合するよう指示するために使用される。
【００５４】
第1の種類のデータストリームは、第1のサービスの第1のデータストリームに続くデータストリームであり、すなわち、第1のサービスの第1のデータストリームではない。
【００５５】
この実施形態では、第1の入口ノードは、ソフトウェア定義ネットワーク内の第1のサービスの入口ノードである。なお、この実施形態では、入口ノードはサービスストリーム伝送路に特有であり、データストリームの入口ノードは別のデータストリームの配信ノードであってもよく、すなわち、第1の入口ノードは第1のサービスに特有であり、異なるサービスは、同じ入口ノードまたは異なる入口ノードを有してもよい。異なるサービスが同じ入口ノードを有する場合、入口ノードはサービスストリームの集約ノードである。
【００５６】
第2の送信機102は、設定情報を使用して、ソフトウェア定義ネットワーク内のルータまたはスイッチ、またはルータおよびスイッチに対してフローエントリ設定を行うように、ソフトウェア定義ネットワークSDNコントローラに指示するように構成される。これは、SDN内のルータまたはスイッチが結合ヘッダを正確に識別して、結合データパケットを正確に転送することを可能にするためのものである。
【００５７】
第3の送信機103は、第1のサービスのデータパケットの宛先ノードがソフトウェア定義ネットワークに属する場合に、宛先ノードにデータパケット分割構成情報を送信するか、または、第1のサービスのデータパケットの宛先ノードがソフトウェア定義ネットワークに属していない場合に、ソフトウェア定義ネットワーク内の第1のサービスの配信ノードにデータパケット分割構成情報を送信するように構成される。
【００５８】
データパケット分割構成情報は、結合データパケットを結合される前のデータパケットに分割するように宛先ノードまたは配信ノードに指示するために使用される。
【００５９】
本実施形態のネットワークコントローラによれば、データパケット結合機能およびデータパケット分割機能は、SDN内のノード上で別々に構成される。したがって、第1のサービスのデータパケットが受信される場合、第1のサービスの複数の小さなデータパケットを1つの大きなデータパケットに結合することができる。複数の小さなデータパケットの伝送と比較して、結合データパケットを伝送することにより、SDNの伝送効率を向上させることができる。
【００６０】
図2に示すように、本願の実施形態は、第1の送信機201、第2の送信機202、第3の送信機203、および第4の送信機204を含む別のネットワークコントローラを開示する。
【００６１】
第1の送信機201は、第1のサービスの受信データストリームが第1のサービスの第1のデータストリームでない場合に、結合設定情報を第1の入口ノードに送信するように構成される。
【００６２】
この実施形態では、結合設定情報は結合ヘッダを含み、結合ヘッダは第1のサービスのデータパケットのヘッダに応じて生成される。一般に、データパケットのヘッダは、データパケットのアドレスを示す。したがって、第1のサービスのデータパケットのヘッダに応じて生成される結合ヘッダはまた、アドレスを示す機能を有する。結合設定情報は、第1のサービスの受信データパケットを結合ヘッダを含むデータパケットに結合するように第1の入口ノードに指示するために使用される。
【００６３】
さらに、図3に示すように、第1のサービスの受信データストリームが同じ宛先ノードを有する場合、結合ヘッダは、第1のサービスの第1のデータストリームから入力されるデータパケットのヘッダである。例えば、複数のIPデータパケットが結合される場合、結合ヘッダは、第1のデータストリームから入力されるデータパケットのIPヘッダおよびTCP／UDPヘッダである。
【００６４】
図4に示すように、第1のサービスの受信データストリームが異なる宛先ノードを有するが、同じ配信ノードを有する場合、結合ヘッダは仮想ヘッダであり、仮想ヘッダは配信ノードのアドレスを含む。
【００６５】
さらに、第1の送信機201は、第1のサービスの入口ノードがSDNネットワーク内の第1の入口ノードから第2の入口ノードに切り替えられた場合、結合設定情報を第2の入口ノードに送信するようにさらに構成されてもよい。
【００６６】
この実施形態では、第1のサービスのデータパケットは、第1のサービスの送信元ノードによって送信されるヘッダ圧縮データパケットである。具体的には、ヘッダ圧縮データパケットは、ロバストヘッダ圧縮（robust header compression、ROHC）を受けるデータパケットであってもよい。
【００６７】
現在、ROHCは通常、無線ネットワークに適用され、IPデータストリーム上のヘッダの圧縮および展開の機能の実行を実装するために使用される。圧縮ヘッダの種類は、RTP／UDP／IP、TCP／IP、UDP／IP、IPなどを含む。ROHCで圧縮されたデータパケットは、完全なIPヘッダを有さないので、IPルーティング機能を有さない。
【００６８】
第1のサービスのデータパケットはROHC−圧縮データパケットであるので、本実施形態のネットワークコントローラは、第1のサービスのデータパケットがヘッダ圧縮データパケットである場合、第1の種類のデータストリーム内にあり、かつ第1のサービスのものであるデータパケットの宛先ノードがソフトウェア定義ネットワークに属する場合に、展開構成情報を宛先ノードに送信するか、または、第1のサービスのデータパケットの宛先ノードがソフトウェア定義ネットワークに属さない場合に、展開構成情報を配信ノードに送信するように構成された第4の送信機204を設ける必要がある。
【００６９】
展開構成情報は、分割されたデータパケットを展開するように宛先ノードまたは配信ノードに指示するために使用される。なお、展開構成情報は、SDNによって受信された圧縮データパケットの特定の圧縮態様に対応する。例えば、SDNがROHCデータパケットを受信する場合、展開構成情報は、ロバストヘッダ展開構成情報である。
【００７０】
本実施形態における第2の送信機202および第3の送信機203の機能は、上述した実施形態と同様であり、詳細な説明は省略する。
【００７１】
前述したように、従来技術では、ROHCのようなデータパケットのヘッダ圧縮が最終ホップ無線ネットワークに適用される。しかし、SDNまたはIP有線ネットワークなどのルート伝送のためにIPアドレスを使用する必要のあるネットワークでは、データパケットのヘッダ圧縮技術を使用することができない。この実施形態における方法によれば、小さなデータパケットが結合され、結合ヘッダが小さなデータパケットのヘッダに応じて生成され、かつ、アドレスを示す機能を有する。したがって、結合データパケットを、SDNによってさらに伝送することができる。したがって、本実施形態の方法を使用することにより、ヘッダ圧縮データパケットの利用範囲が拡大される。
【００７２】
また、本実施形態では、第1のサービスの入口ノードを切り替えられた場合、ネットワークコントローラは、結合構成を切り替え先の入口ノードに対して実行し、これにより、入口ノードが切り替えられた場合に、SDNは比較的高い伝送効率をさらに保証することができる。
【００７３】
図5に示すように、本願の実施形態は、第1の送信機501、第2の送信機502、第3の送信機503、第4の送信機504、および第5の送信機505を含む別のネットワークコントローラを開示する。
【００７４】
第5の送信機505は、第1のサービスの第1の種類のデータストリームを受信した場合に、ヘッダ圧縮構成情報を第1の入口ノードに送信するように構成され、ここで、ヘッダ圧縮構成情報は、第1のサービスの受信データパケットに対するヘッダ圧縮を実行するように第1の入口ノードに指示するために使用される。
【００７５】
本実施形態における他のモジュールの機能は、前述した実施形態と類似しており、詳細な説明は省略する。
【００７６】
上述の実施形態と比較して、本実施形態では、ネットワークコントローラは、SDNがヘッダ圧縮機能を有するように、第1のサービスの送信元ノードの代わりにヘッダ圧縮構成情報を第1の入口ノードに送信する。
【００７７】
一般に、SDNは、アクセスネットワークとして使用されてもよく、コアネットワークとして使用されてもよく、フルカバレッジネットワークとして使用されてもよく、部分カバレッジネットワークとして使用されてもよい。したがって、SDNの異なる機能の下で、上述の実施形態における「入口ノード」、「宛先ノード」、および「配信ノード」は、以下の場合にそれぞれ対応する。
【００７８】
1．第1のサービスのデータパケットの入口ノードがSDNアクセスネットワークに属し、かつ、第1のサービスのデータパケットの宛先ノードが非SDNに属する場合、第1のサービスの配信ノードは、SDN内にあり、かつSDNと非SDNとを接続するアクセスネットワークゲートウェイである。
【００７９】
2．第1のサービスのデータパケットの入口ノードが非SDNネットワークに属し、かつ、第1のサービスのデータパケットの宛先ノードがSDNアクセスネットワークに属する場合、第1のサービスの入口ノードは、SDN内にあり、かつ非SDNとSDNとを接続するアクセスネットワークゲートウェイである。
【００８０】
3．全てのネットワークがSDNである場合、（上述の実施形態に記載したように）「入口ノード」はSDN内の第1のサービスの入口ノードであり、「宛先ノード」はSDNネットワーク内の第1のサービスのデータパケットの宛先ノードである。
【００８１】
上述の場合に加えて、本願の実施形態は、別のネットワークコントローラを開示する。この実施形態では、SDNはコアネットワークであり、SDNの両側のアクセスネットワークは非SDNネットワークであり、第1のサービスのデータパケットの宛先ノードは非SDNネットワークに属する。SDNの両側のアクセスネットワークは、SDNに直接接続された2つのアクセスネットワークである。
【００８２】
図6に示すように、ネットワークコントローラは、第1の送信機601と、第2の送信機602と、第3の送信機603と、コントローラ604とを含む。
【００８３】
第1の送信機601は、第1のサービスの第1の種類のデータストリームを受信した場合に、結合設定情報を第1の入口ノードに送信するように構成される。
【００８４】
この実施形態では、第1の入口ノードは第1のエッジゲートウェイであり、ここで、第1のエッジゲートウェイは、SDN内にあり、かつSDNと第1の非SDNとを接続するエッジゲートウェイであり、第1の非SDNネットワークは、第1のサービスのデータストリームの送信元ノードが位置するネットワークであり、第2の非SDNネットワークは、第1のサービスのデータストリームの宛先ノードが位置するネットワークである。
【００８５】
第3の送信機603は、データパケット分割構成情報を第1のサービスの配信ノードに送信するように構成される。
【００８６】
SDN内の第1のサービスの配信ノードは、第2のエッジゲートウェイであり、ここで、第2のエッジゲートウェイは、SDN内にあり、かつSDNと第2の非SDNネットワークとを接続するエッジゲートウェイである。
【００８７】
コントローラ604は、第1のサービスの入口ノードが第1の入口ノードから第2の入口ノードに切り替えられた場合、第1の入口ノードを制御して結合設定情報を第2の入口ノードに送信するように構成される。
【００８８】
本実施形態におけるネットワークコントローラによれば、SDNがコアネットワークであり、かつSDNの両側のアクセスネットワークがいずれも非SDNネットワークである場合、SDNの伝送効率を向上させることができる。
【００８９】
図7に示すように、本願の実施形態は、以下の特定のステップを含むSDN構築方法を開示する。
【００９０】
S701．第1のサービスの受信データストリームが第1のサービスの第1のデータストリームでない場合、ネットワークコントローラは、結合設定情報を第1の入口ノードに送信する。
【００９１】
結合設定情報は結合ヘッダを含み、結合ヘッダは第1のサービスのデータパケットのヘッダに応じて生成される。一般に、データパケットのヘッダは、データパケットのアドレスを示す。したがって、第1のサービスのデータパケットのヘッダに応じて生成される結合ヘッダはまた、アドレスを示す機能を有する。結合設定情報は、第1のサービスの受信データパケットを結合ヘッダを含むデータパケットに結合するように第1の入口ノードに指示するために使用される。
【００９２】
さらに、図に示すように、第1のサービスの受信データストリームが同じ宛先ノードを有する場合、結合ヘッダは、第1のサービスの第1のデータストリームから入力されるデータパケットのヘッダである。例えば、複数のIPデータパケットが結合される場合、結合ヘッダは、第1のデータストリームから入力されるデータパケットのIPヘッダおよびTCP／UDPヘッダである。
【００９３】
図に示すように、第1のサービスの受信データストリームが異なる宛先ノードを有するが、同じ配信ノードを有する場合、結合ヘッダは仮想ヘッダであり、仮想ヘッダは配信ノードのアドレスを含む。
【００９４】
この実施形態では、第1の入口ノードは、ソフトウェア定義ネットワーク内の第1のサービスの入口ノードである。なお、この実施形態では、入口ノードはサービスストリーム伝送路に特有であり、データストリームの入口ノードは別のデータストリームの配信ノードであってもよく、すなわち、第1の入口ノードは第1のサービスに特有であり、異なるサービスは、同じ入口ノードまたは異なる入口ノードを有してもよい。異なるサービスが同じ入口ノードを有する場合、入口ノードはサービスストリームの集約ノードである。
【００９５】
S702．第1のサービスのデータパケットの宛先ノードがSDNに属する場合、ネットワークコントローラは、データパケット分割構成情報を宛先ノードに送信する。
【００９６】
S703．第1のサービスのデータパケットの宛先ノードがSDNに属さない場合、ネットワークコントローラは、データパケット分割構成情報をSDN内の第1のサービスの配信ノードに送信する。
【００９７】
データパケット分割構成情報は、結合データパケットを結合される前のデータパケットに分割するように宛先ノードまたは配信ノードに指示するために使用される。
【００９８】
S704．ネットワークコントローラは、結合ヘッダを使用して、SDN内のルータまたはスイッチ、またはルータおよびスイッチに対してフローエントリ設定を行うようにSDNコントローラに指示する。これは、SDN内のルータまたはスイッチが結合ヘッダを正確に識別して、結合データパケットを正確に転送することを可能にするためのものである。
【００９９】
結合ヘッダが仮想ヘッダである場合、本実施形態の方法は以下のステップをさらに含んでもよい。
【０１００】
S705．ネットワークコントローラは、第1のサービスの第1のデータストリームに応じて構成されたSDN内のルータまたはスイッチ上のフローエントリを削除するようにSDNコントローラに指示する。
【０１０１】
仮想ヘッダは配信ノードのアドレスを含むため、配信ノードのアドレスが示される。したがって、このステップの目的は、ルータまたはスイッチが、結合データパケットを正確に転送することができるようにすることである。
【０１０２】
本実施形態における方法に応じて、ネットワークコントローラは、データパケット結合機能およびデータパケット分割機能をSDN内のノード上で別々に構成することが上述のステップから分かる。したがって、第1のサービスのデータパケットが受信される場合、第1のサービスの複数の小さなデータパケットを1つの大きなデータパケットに結合することができる。複数の小さなデータパケットの伝送と比較して、結合データパケットを伝送することにより、SDNの伝送効率を向上させることができる。
【０１０３】
図8に示すように、本願の実施形態は、以下の特定のステップを含む別のSDN構築方法を開示する。
【０１０４】
S801．第1のサービスの受信データストリームが第1のサービスの第1のデータストリームでない場合、ネットワークコントローラは、結合設定情報を第1の入口ノードに送信する。
【０１０５】
この実施形態では、第1のサービスのデータパケットは、第1のサービスの送信元ノードによって送信されるヘッダ圧縮データパケットである。具体的には、ヘッダ圧縮データパケットは、ロバストヘッダ圧縮（robust header compression、ROHC）を受けるデータパケットであってもよい。
【０１０６】
現在、ROHCは通常、無線ネットワークに適用され、IPデータストリーム上のヘッダの圧縮および展開の機能の実行を実装するために使用される。圧縮ヘッダの種類は、RTP／UDP／IP、TCP／IP、UDP／IP、IPなどを含む。ROHCで圧縮されたデータパケットは、完全なIPヘッダを有さないので、IPルーティング機能を有さない。
【０１０７】
S802．第1のサービスのデータパケットの宛先ノードがSDNに属する場合、ネットワークコントローラは、データパケット分割構成情報および展開構成情報を宛先ノードに送信する。
【０１０８】
S803．第1のサービスのデータパケットの宛先ノードがSDNに属さない場合、ネットワークコントローラは、データパケット分割構成情報および展開構成情報をSDN内の第1のサービスの配信ノードに送信する。
【０１０９】
展開構成情報は、分割されたデータパケットを展開するように宛先ノードまたは配信ノードに指示するために使用される。なお、展開構成情報は、SDNによって受信された圧縮データパケットの特定の圧縮態様に対応する。例えば、SDNがROHCデータパケットを受信する場合、展開構成情報は、ロバストヘッダ展開構成情報である。
【０１１０】
S804．ネットワークコントローラは、ヘッダ圧縮構成情報を第1のサービスのデータストリームの送信元ノードに送信し、ここで、ヘッダ圧縮構成情報は、第1のサービスのデータストリームに対するヘッダ圧縮を実行するように送信元ノードに指示するために使用される。
【０１１１】
S805．ネットワークコントローラは、結合ヘッダを使用して、SDN内のルータおよび／またはスイッチに対してフローエントリ設定を行うようにSDNコントローラに指示する。
【０１１２】
S806．第1のサービスの入口ノードが第1の入口ノードから第2の入口ノードに切り替えられた場合、ネットワークコントローラは、結合設定情報を第2の入口ノードに送信し、ここで、第2の入口ノードはSDNネットワーク内の入口ノードである。
【０１１３】
前述したように、従来技術では、ROHCのようなデータパケットのヘッダ圧縮が最終ホップ無線ネットワークに適用される。しかし、SDNまたはIP有線ネットワークなどのルート伝送のためにIPアドレスを使用する必要のあるネットワークでは、データパケットのヘッダ圧縮技術を使用することができない。この実施形態における方法によれば、小さなデータパケットが結合され、結合ヘッダが小さなデータパケットのヘッダに応じて生成され、かつ、アドレスを示す機能を有する。したがって、結合データパケットを、SDNによってさらに伝送することができる。したがって、本実施形態の方法を使用することにより、ヘッダ圧縮データパケットの利用範囲が拡大される。
【０１１４】
また、本実施形態では、第1のサービスの入口ノードを切り替えられた場合、ネットワークコントローラは、結合構成を切り替え先の入口ノードに対して実行し、これにより、入口ノードが切り替えられた場合に、SDNは比較的高い伝送効率をさらに保証することができる。
【０１１５】
図9に示すように、本願の実施形態は、以下のステップを含む別のSDN構築方法を開示する。
【０１１６】
S901．第1のサービスのデータストリームの受信データが第1のサービスの第1のデータストリームでない場合、ネットワークコントローラは、ヘッダ圧縮構成情報を第1の入口ノードに送信し、ここで、ヘッダ圧縮構成情報は、第1のサービスの受信データパケットに対するヘッダ圧縮を実行するように第1の入口ノードに指示するために使用される。
【０１１７】
S902．第1のサービスの受信データストリームが第1のサービスの第1のデータストリームでない場合、ネットワークコントローラは、結合設定情報を第1の入口ノードに送信する。
【０１１８】
S903．第1のサービスのデータパケットの宛先ノードがSDNに属する場合、ネットワークコントローラは、データパケット分割構成情報および展開構成情報を宛先ノードに送信する。
【０１１９】
S904．第1のサービスのデータパケットの宛先ノードがSDNに属さない場合、ネットワークコントローラは、データパケット分割構成情報および展開構成情報を  SDN内の第1のサービスの配信ノードに送信する。
【０１２０】
S905．ネットワークコントローラは、結合ヘッダを使用して、SDN内のルータおよびスイッチに対してフローエントリ設定を行うようにSDNコントローラに指示する。
【０１２１】
上述の実施形態と比較して、本実施形態では、ネットワークコントローラは、SDNがヘッダ圧縮機能を有するように、第1のサービスの送信元ノードの代わりにヘッダ圧縮構成情報を第1の入口ノードに送信する。
【０１２２】
上述の場合に加えて、SDNがコアネットワークであり、SDNの両側のアクセスネットワークがいずれも非SDNネットワークであり、第1のサービスのデータパケットの宛先ノードが非SDNネットワークに属するという場合もまたあり得る。この場合、本願の実施形態は、具体的には以下のステップを含むSDN構築方法を開示する。
【０１２３】
A：第1のサービスの受信データストリームが第1のサービスの第1のデータストリームでない場合、ネットワークコントローラは、結合設定情報を第1の入口ノードに送信する。
【０１２４】
この実施形態では、第1の入口ノードは第1のエッジゲートウェイであり、ここで、第1のエッジゲートウェイは、SDN内にあり、かつSDNと第1の非SDNとを接続するエッジゲートウェイであり、第1の非SDNネットワークは、第1のサービスのデータストリームの送信元ノードが位置するネットワークであり、第2の非SDNネットワークは、第1のサービスのデータストリームの宛先ノードが位置するネットワークである。
【０１２５】
B：ネットワークコントローラは、データパケット分割構成情報および展開構成情報をSDN内の第1のサービスの配信ノードに送信する。
【０１２６】
SDN内の第1のサービスの配信ノードは、第2のエッジゲートウェイであり、ここで、第2のエッジゲートウェイは、SDN内にあり、かつSDNと第2の非SDNネットワークとを接続するエッジゲートウェイである。
【０１２７】
C：ネットワークコントローラは、ヘッダ圧縮構成情報を第1のエッジゲートウェイへ送信し、ここで、ヘッダ圧縮構成情報は、第1のサービスのデータストリームに対するヘッダ圧縮を実行するように第1のエッジゲートウェイに指示するために使用される。
【０１２８】
D：ネットワークコントローラは、結合ヘッダを使用して、SDN内のルータまたはスイッチに対してフローエントリ設定を行うようにSDNコントローラに指示する。
【０１２９】
E：第1のサービスの入口ノードが第1の入口ノードから第2の入口ノードに切り替えられた場合、ネットワークコントローラは、結合設定情報を第2の入口ノードに送信するように、第1の入口ノードを制御する。
【０１３０】
本実施形態における方法によれば、SDNがコアネットワークであり、かつSDNの両側のアクセスネットワークがいずれも非SDNネットワークである場合、SDNの伝送効率を向上させることができる。
【０１３１】
本願の実施形態は、SDNの伝送効率を改善することを意図したSDNおよびSDNベースのデータ伝送方法をさらに開示する。なお、本願の実施形態におけるSDNおよびSDNベースのデータ伝送方法によれば、SDNは、上述の目的を達成するために事前設定を行う必要がある。特定の構築方法については、上述の実施形態の説明を参照し、詳細はここでは説明しない。
【０１３２】
以下では、本願の実施形態における技術的解決策を、本願の実施形態における添付の図面を参照して、明確かつ完全に説明する。明らかに、記載された実施形態は、本願の実施形態の一部に過ぎず、全てではない。創造的な努力をせずに本願の実施形態に基づいて当業者によって得られる他の全ての実施形態は、本願の保護範囲内に収まるものとする。
【０１３３】
図10に示すように、本願の実施形態は、第1の入口ノード1001、伝送モジュール1002および分割モジュール1003を含むSDNを開示する。
【０１３４】
第1の入口ノード1001は、第1のサービスの第1の種類のデータストリームを受信した場合に、予め設定された設定情報に応じて第1のサービスの受信データパケットを結合するように構成され、ここで、第1の入口ノードは、ソフトウェア定義ネットワーク内の第1のサービスの入口ノードであり、第1の種類のデータストリームは、第1のサービスの第1のデータストリームに続くデータストリームである。
【０１３５】
任意には、結合データパケットは結合ヘッダを含み、ここで、結合ヘッダは第1サービスのデータパケットのヘッダに応じて生成され、第1の入口ノードは、ソフトウェア定義ネットワーク内の第1のサービスの入口ノードである。第1のサービスの受信データストリームが第1のサービスの第1のデータストリームである場合、第1の入口ノードは、第1のサービスのデータストリームのヘッダを得るようにヘッダ圧縮データパケットを最初に展開する必要がある。
【０１３６】
この実施形態では、結合データパケットについて、図3および図4を参照する。データパケットの分割中に各小さなデータパケットの位置決めを容易にするために、データパケットが結合されている場合に、結合されたデータパケットの量および結合された各データパケットの長さを別々に示すように固定長のフィールドを使用することができる。固定値は、実際の状況に応じて予め設定されてもよい。
【０１３７】
この実施形態では、結合されたデータパケットは、第1のサービスのものであり、かつ、同時にまたは予め設定された時間内に第1の入口ノードに到達するデータパケットであってもよい。第1のサービスは、遅延に依存しないサービスであってもよいが、これに限定されない。
【０１３８】
伝送モジュール1002は、結合データパケットを伝送するように構成される。
【０１３９】
分割モジュール1003は、結合データパケットを結合される前のデータパケットに分割するように構成され、ここで、第1のサービスのデータパケットの宛先ノードがソフトウェア定義ネットワークに属する場合、分割モジュールは宛先ノードであり、または、第1のサービスのデータパケットの宛先ノードがソフトウェア定義ネットワークに属さない場合、分割モジュールはソフトウェア定義ネットワーク内の第1のサービスの配信ノードである。
【０１４０】
この実施形態では、SDNネットワークは、データパケットを連結した後に伝送を行って結合データパケットを宛先ノードまたは配信ノード上で分割し、すなわち、伝送のために小さなデータパケットを大きなデータパケットに結合する。したがって、伝送効率を向上させることができる。
【０１４１】
図11に示すように、本願の実施形態は、第1の入口ノード1101、伝送モジュール1102、分割モジュール1103、展開モジュール1104および第2の入口ノード1105を含むSDNを開示する。
【０１４２】
第1の入口ノード1101は、第1のサービスの第1の種類のデータストリームを受信した場合に、予め設定された設定情報に応じて、第1のサービスのデータパケットに対してヘッダ圧縮を実行し、かつヘッダ圧縮データパケットを結合するように構成される。
【０１４３】
伝送モジュール1102は、結合データパケットを伝送するように構成される。
【０１４４】
この実施形態では、伝送モジュールは、SDN内のルータまたはスイッチであってもよい。ソフトウェア定義ネットワーク内のコントローラは、結合ヘッダを使用して、ソフトウェア定義ネットワーク内のルータまたはスイッチに対してフローエントリ設定を事前に実行する。
【０１４５】
分割モジュール1103は、結合データパケットを結合される前のデータパケットに分割するように構成される。
【０１４６】
展開モジュール1104は、分割されたデータパケットを展開するように構成される。
【０１４７】
第1のサービスのデータパケットの宛先ノードがソフトウェア定義ネットワークに属する場合、展開モジュールは宛先ノードであり、または、第1のサービスのデータパケットの宛先ノードがソフトウェア定義ネットワークに属さない場合、展開モジュールは配信ノードである。
【０１４８】
第1のサービスの入口ノードが第1の入口ノードから第2の入口ノードに切り替えられた場合、第1の入口ノードは、結合設定情報を第2の入口ノードに送信する。
【０１４９】
第2の入口ノード1105は、第1のサービスの入口ノードが第1の入口ノードから第2の入口ノードに切り替えられた場合、結合設定情報に応じて第1のサービスの受信データパケットを結合する。
【０１５０】
この実施形態では、SDNネットワークは、比較的高いデータパケット伝送効率を有し、サービスの入口ノードが切り替えられた後に比較的高い伝送効率を維持することができる。
【０１５１】
図12に示すように、本願の実施形態は、以下のステップを含む別のSDNベースのデータ伝送方法をさらに開示する。
【０１５２】
S1201．第1のサービスの受信データストリームが第1のサービスの第1のデータストリームでない場合、ソフトウェア定義ネットワーク内の第1の入口ノードは、予め設定された設定情報に応じて、第1のサービスの受信データパケットを結合する。
【０１５３】
結合データパケットは結合ヘッダを含み、ここで、結合ヘッダは第1サービスのデータパケットのヘッダに応じて生成され、第1の入口ノードは、ソフトウェア定義ネットワーク内の第1のサービスの入口ノードである。
【０１５４】
この実施形態では、結合データパケットについて、図3または図4を参照する。データパケットの分割中に各小さなデータパケットの位置決めを容易にするために、データパケットが結合されている場合に、結合されたデータパケットの量および結合された各データパケットの長さを別々に示すように固定長のフィールドを使用することができる。固定値は、実際の状況に応じて予め設定されてもよい。
【０１５５】
この実施形態では、結合されたデータパケットは、第1のサービスのものであり、かつ、同時にまたは予め設定された時間内に第1の入口ノードに到達するデータパケットであってもよい。第1のサービスは、遅延に依存しないサービスであってもよいが、これに限定されない。
【０１５６】
S1202．ソフトウェア定義ネットワークは、結合データパケットを伝送する。
【０１５７】
S1203．第1のサービスのデータパケットの宛先ノードがソフトウェア定義ネットワークに属する場合、宛先ノードは、結合データパケットを結合される前のデータパケットに分割する。
【０１５８】
S1204．第1のサービスのデータパケットの宛先ノードがソフトウェア定義ネットワークに属さない場合、ソフトウェア定義ネットワーク内の第1のサービスの配信ノードは、結合データパケットを結合される前のデータパケットに分割する。
【０１５９】
この実施形態では、SDNネットワークは、データパケットを連結した後に伝送を行って結合データパケットを宛先ノードまたは配信ノード上で分割し、すなわち、伝送のために小さなデータパケットを大きなデータパケットに結合する。したがって、伝送効率を向上させることができる。
【０１６０】
図13に示すように、本願の実施形態は、以下のステップを含む別のSDNベースのデータ伝送方法を開示する。
【０１６１】
S1301．第1の入口ノードは、第1のサービスのヘッダ圧縮データストリームを受信する。
【０１６２】
S1302．第1の入口ノードは、第1のサービスの受信データストリームが第1のサービスの第1のデータストリームであるか否かを判定し、第1のサービスの受信データストリームが第1のサービスの第1のデータストリームであればS1303を実行し、または第1のサービスの受信データストリームが第1のサービスの第1のデータストリームでなければS1304を実行する。
【０１６３】
S1303．第1の入口ノードは、第1のサービスのデータストリームのヘッダを得るように、第1のサービスの第1のデータストリームから入力されたデータパケットを展開する。
【０１６４】
S1304．第1の入口ノードは、予め設定された設定情報に応じて、第1のサービスのデータパケットを結合する。
【０１６５】
結合データパケットは結合ヘッダを含み、ここで、結合ヘッダは第1のサービスのデータパケットのヘッダに応じて生成される。結合データパケットは、結合されたデータパケットの量および結合されたデータパケットの長さをさらに含んでもよい。結合された全てのデータパケットは、圧縮データパケットヘッダを搬送する。
【０１６６】
具体的には、結合データパケットについて、図3または図4を参照する。
【０１６７】
S1305．SDN内のルータまたはスイッチは、結合ヘッダに応じて結合データパケットを伝送する。
【０１６８】
S1306．第1のサービスのデータパケットの宛先ノードがSDNに属する場合、宛先ノードは、結合データパケットを結合される前のデータパケットに分割して、分割データパケットを展開する。
【０１６９】
S1307．第1のサービスのデータパケットの宛先ノードがSDNに属さない場合、SDN内の第1のサービスの配信ノードは、結合データパケットを結合される前のデータパケットに分割して、分割データパケットを展開する。
【０１７０】
S1308．第1のサービスの入口ノードが第1の入口ノードから第2の入口ノードに切り替えられた場合、第1のアクセスポイントは、結合設定情報を第2のアクセスポイントに送信する。
【０１７１】
S1309．第2の入口ノードは、結合設定情報に応じて第1のサービスの受信データパケットを結合し、ここで、第2の入口ノードはSDNネットワーク内の入口ノードである。
【０１７２】
具体的には、第2の入口ノードが第1のサービスの他の1つ以上のデータストリームを有し、これらのデータストリームが同一の宛先ノードまたはSDN配信ノードを有する場合、データパケットの結合は、第1の入口ノードおよび第2の入口ノード上の第1のサービスのデータストリームから切り替えられたデータストリームに対して実行される。
【０１７３】
この実施形態の方法によれば、ヘッダ圧縮データパケットをSDNに伝送することができ、これにより、SDNの伝送効率を向上させることができる。
【０１７４】
図14に示すように、本願の実施形態は、以下のステップを含む別のSDNベースのデータ伝送方法を開示する。
【０１７５】
S1401．第1の入口ノードは、第1のサービスのデータストリームを受信する。
【０１７６】
S1402．第1の入口ノードは、第1のサービスの受信データストリームが第1のサービスの第1のデータストリームであるか否かを判定し、肯定判定であればS1403を実行し、または否定判定であればS1404を実行する。
【０１７７】
S1403．第1の入口ノードは、第1のサービスのデータストリームのヘッダを取得する。
【０１７８】
S1404．第1の入口ノードは、予め設定された設定情報に応じて、第1のサービスのデータパケットに対してヘッダ圧縮を実行し、かつヘッダ圧縮データパケットを結合する。
【０１７９】
結合データパケットは結合ヘッダを含み、ここで、結合ヘッダは第1のサービスのデータパケットのヘッダに応じて生成される。結合データパケットは、結合されたデータパケットの量および結合されたデータパケットの長さをさらに含んでもよい。結合された全てのデータパケットは、圧縮データパケットヘッダを搬送する。
【０１８０】
具体的には、結合データパケットについて、図3または図4を参照する。
【０１８１】
S1405．SDN内のルータまたはスイッチは、結合ヘッダに応じて結合データパケットを伝送する。
【０１８２】
S1406．第1のサービスのデータパケットの宛先ノードがSDNに属する場合、宛先ノードは、結合データパケットを結合される前のデータパケットに分割して、分割データパケットを展開する。
【０１８３】
S1407．第1のサービスのデータパケットの宛先ノードがSDNに属さない場合、SDN内の第1のサービスの配信ノードは、結合データパケットを結合される前のデータパケットに分割して、分割データパケットを展開する。
【０１８４】
同様に、第1のサービスの入口ノードを切り替える場合は、第1のサービスのデータパケットのためのヘッダ圧縮機能および結合機能を、上述の実施形態に記載した第1のサービスの新たな入口ノードに切り替えることができる。詳細については本明細書では説明しない。
【０１８５】
この実施形態の方法によれば、データパケットを連結することに加えて、第1の入口ノードは、第1のサービスのデータパケットを圧縮することができる。したがって、SDNのデータパケット伝送効率をさらに向上させることができる。
【０１８６】
実施形態における方法の機能がソフトウェア機能ユニットの形態で実装され、独立した製品として販売または使用される場合、機能は、コンピュータ読み取り可能な記憶媒体に格納されてもよい。このような理解に基づいて、先行技術に寄与する本発明の実施形態の一部またはいくつかの技術的解決策は、ソフトウェア製品の形態で実施されてもよい。このソフトウェア製品は、記憶媒体に格納されており、（パーソナルコンピュータ、サーバ、またはネットワークデバイスであってもよい）コンピュータデバイスに本発明の実施形態で説明した方法のステップの全てまたは一部を実行するように命令するためのいくつかの命令を含む本発明の範囲内である。上述の記憶媒体は、USBフラッシュドライブ、取り外し可能なハードディスク、読み出し専用メモリ（ROM、Read−Only Memory）、ランダムアクセスメモリ（RAM、Random Access Memory）、磁気ディスクまたは光ディスクなどのプログラムコードを格納することができる任意の媒体を含む。
【０１８７】
本明細書の実施形態は、実施形態において同一または類似の部分については全て漸進的に記載され、これらの実施形態を参照することができ、各実施形態は他の実施形態との差異に注目する。
【０１８８】
上述した実施形態は、当業者が本発明を実施または使用することができるように記載されている。実施形態の様々な変更は、当業者には明らかであり、本明細書で定義される一般的な原理は、本発明の精神または範囲から逸脱することなく、他の実施形態において実施されてもよい。したがって、本発明は、本明細書に示されるこれらの実施形態に限定されるものではなく、本明細書に開示された原理および新規の特徴と一致する最も広範囲に解釈されるものとする。
【符号の説明】
【０１８９】
101  第1の送信機
102  第2の送信機
103  第3の送信機
201  第1の送信機
202  第2の送信機
203  第3の送信機
204  第4の送信機
501  第1の送信機
502  第2の送信機
503  第3の送信機
504  第4の送信機
505  第5の送信機
601  第1の送信機
602  第2の送信機
603  第3の送信機
604  コントローラ
1001  第1の入口ノード
1002  伝送モジュール
1003  分割モジュール
1101  第1の入口ノード
1102  伝送モジュール
1103  分割モジュール
1104  展開モジュール
1105  第2の入口ノード
【図１】
0006643355.tif 000002
【図２】
0006643355.tif 000003
【図３】
0006643355.tif 000004
【図４】
0006643355.tif 000005
【図５】
0006643355.tif 000006
【図６】
0006643355.tif 000007
【図７】
0006643355.tif 000008
【図８】
0006643355.tif 000009
【図９】
0006643355.tif 000010
【図１０】
0006643355.tif 000011
【図１１】
0006643355.tif 000012
【図１２】
0006643355.tif 000013
【図１３】
0006643355.tif 000014
【図１４】
0006643355.tif 000015